(57)【特許請求の範囲】
【請求項１】
巻き取り胴部と鍔部とを有する巻き取りボビンに光ファイバを巻き取る方法であって、
前記光ファイバの巻き取りにあたって、前記巻き取りボビンと前記光ファイバのうち少なくとも一方である移動体を回転軸方向に往復トラバースさせ、
前記トラバースの速度は、光ファイバの巻き取り速度に比例し、
前記鍔部と前記光ファイバとが互いに近づく方向に前記移動体をトラバースする際に、前記移動体が反転指令位置に達したことにより発せられた反転指令によって、前記移動体のトラバース方向を反転させ、
前記移動体が前記反転指令位置に達してから反転するまでの時間をΔｔとし、
前記移動体が前記反転指令位置に達した時の前記トラバースの速度をＶとして、
前記鍔部に近接する近接位置から前記光ファイバの巻き付け位置までの前記回転軸方向の距離がＶ・Δｔとなったときに、前記移動体が反転指令位置に達したことを認識し、それに伴って前記移動体に反転指令を発し、前記トラバース方向を反転させることを特徴とする光ファイバの巻取方法。
【請求項２】
紡糸により得られた光ファイバを、請求項１に記載の光ファイバの巻取方法によって、巻き取りボビンに巻き取ることを特徴とする光ファイバの製造方法。
【請求項３】
巻き取り胴部と鍔部とを有する巻き取りボビンに光ファイバを巻き取る装置であって、
前記光ファイバを供給する光ファイバ供給部と、前記巻き取りボビンと、前記巻き取りボビンと前記光ファイバのうち少なくとも一方である移動体を回転軸方向に往復トラバースさせるトラバース機構と、前記移動体のトラバース速度を検出する速度センサと、前記移動体の回転軸方向の位置を検出可能な位置センサと、前記移動体のトラバースの速度および方向を調整する制御部と、を備え、
前記移動体が前記反転指令位置に達してから反転するまでの時間をΔｔとし、
前記移動体が前記反転指令位置に達した時の前記トラバースの速度をＶとして、
前記制御部は、前記トラバースの速度を、光ファイバの巻き取り速度に比例させ、前記鍔部と前記光ファイバとが互いに近づく方向に前記移動体をトラバースする際に、前記速度センサによって検出されたトラバース速度と、前記位置センサによって検出された前記移動体の位置に基づいて、前記鍔部に近接する近接位置から前記光ファイバの巻き付け位置までの前記回転軸方向の距離がＶ・Δｔとなったときに、前記移動体が反転指令位置に達したことを認識し、それに伴って前記移動体に反転指令を発し、前記トラバース方向を反転させることを特徴とする光ファイバの巻取装置。
【発明の詳細な説明】
【技術分野】
【０００１】
本発明は、光ファイバの巻取方法および巻取装置、ならびに光ファイバの製造方法に関する。
【背景技術】
【０００２】
近年、光ファイバの製造は、コストダウン等を目的として紡糸速度の高線速化、および光ファイバの長尺化がなされており、紡糸時に使用されるボビンには、長さ１００ｋｍ以上の光ファイバが巻かれることが少なくない。このため、光ファイバの出荷時には、光ファイバを必要な長さだけ引き出して、他のボビンに巻きなおすことが行われる（いわゆる「巻き返し」）。
光ファイバをボビンに巻き取る際には、光ファイバを胴部上で整列させるために、ボビンまたは光ファイバを回転軸方向に移動（トラバース）させつつ巻き取りを行う（特許文献１、２参照）。
【０００３】
図７は、光ファイバをボビンに巻き取る巻取装置を示す。
この巻取装置３１は、巻取装置１は、光ファイバ２を供給する光ファイバ供給部３と、光ファイバ２を巻き取る巻き取り機３４と、を備えている。
光ファイバ供給部３は、送り出しボビン１１と、引き取り機１２と、光ファイバ２をガイドする複数のガイドプーリー１３と、ダンサーローラ１４と、を備えている。
巻き取り機３４は、光ファイバ２を巻き取る巻き取りボビン８と、巻き取りボビン８を光ファイバ２に対して回転軸方向に往復トラバースさせるトラバース機構９と、を有する。
トラバース装置９は、巻き取りボビン８を回転軸方向に往復動させることによって、光ファイバ２を巻き取りボビン８に整列巻きさせることができる。
【０００４】
特許文献１には、ボビンを回転軸方向に往復動させつつ線材の巻き取りを行い、その際、光センサによってボビン鍔部の位置を検知して、その位置に基づいてトラバースの反転動作を制御する方法が開示されている。
この方法では、光ファイバの巻き取り速度が変動すると、ボビン位置を検知してから反転動作までの時間遅延に相当する長さの光ファイバが余分に巻かれる（過巻）ため、巻き乱れが生じてしまう問題があった。
【先行技術文献】
【特許文献】
【０００５】
【特許文献１】特開平５−８９３４号公報
【特許文献２】特開平７−３３３２６号公報
【発明の概要】
【発明が解決しようとする課題】
【０００６】
特許文献２に記載の方法では、光ファイバがボビン鍔部に到達する前に鍔部の位置を検知し、鍔部検出から所定の時間が経過した後に反転動作をさせることにより、光ファイバが余分に巻かれるのを抑制しているが、巻き取り速度が変動する場合には、光ファイバの巻取りの過不足による巻き乱れが生じるおそれがあった。
ボビンの反転に至る前に光ファイバの巻き取り速度が定常に到達すれば、巻き取り速度の変動は起こりにくく、鍔部付近での光ファイバの巻き取りの過不足は生じないが、近年、巻き取り速度は高速化しているため、反転前に定常巻き取り速度に到達させるのは難しい。
無理に反転前に定常巻き取り速度に到達するよう巻き取り速度を高めた場合、ガイドプーリーにおける回転抵抗により巻き取り張力が変動し、巻き乱れが生じやすくなる。
本発明は、前記事情に鑑みてなされたものであり、光ファイバ巻き取り速度が変動する場合でも、巻き取りボビンに光ファイバを巻き取る際の巻き乱れを防止できる光ファイバの巻取方法および巻取装置、ならびに光ファイバの製造方法を提供することを目的とする。
【課題を解決するための手段】
【０００７】
上記課題を解決するために、本発明では以下の構成を提供する。
本発明は、巻き取り胴部と鍔部とを有する巻き取りボビンに光ファイバを巻き取る方法であって、前記光ファイバの巻き取りにあたって、前記巻き取りボビンと前記光ファイバのうち少なくとも一方である移動体を回転軸方向に往復トラバースさせ、前記鍔部と前記光ファイバとが互いに近づく方向に前記移動体をトラバースする際に、前記移動体が反転指令位置に達したことにより発せられた反転指令によって、前記移動体のトラバース方向を反転させ、前記移動体が前記反転指令位置に達してから反転するまでの時間をΔｔとし、前記移動体が前記反転指令位置に達した時の前記トラバースの速度をＶとして、前記鍔部に近接する近接位置から前記光ファイバの巻き付け位置までの前記回転軸方向の距離がＶ・Δｔとなったときに、前記移動体が反転指令位置に達したことを認識し、それに伴って前記移動体に反転指令を発し、前記トラバース方向を反転させる光ファイバの巻取方法を提供する。
前記トラバース速度は、光ファイバの巻き取り速度に比例していてもよい。
【０００８】
本発明は、紡糸により得られた光ファイバを、前記光ファイバの巻取方法によって、巻き取りボビンに巻き取る光ファイバの製造方法を提供する。
【０００９】
本発明は、巻き取り胴部と鍔部とを有する巻き取りボビンに光ファイバを巻き取る装置であって、前記光ファイバを供給する光ファイバ供給部と、前記巻き取りボビンと、前記巻き取りボビンと前記光ファイバのうち少なくとも一方である移動体を回転軸方向に往復トラバースさせるトラバース機構と、前記移動体のトラバース速度を検出する速度センサと、前記移動体の回転軸方向の位置を検出可能な位置センサと、前記移動体のトラバースの速度および方向を調整する制御部と、を備え、前記移動体が前記反転指令位置に達してから反転するまでの時間をΔｔとし、前記移動体が前記反転指令位置に達した時の前記トラバースの速度をＶとして、前記制御部は、前記鍔部と前記光ファイバとが互いに近づく方向に前記移動体をトラバースする際に、前記速度センサによって検出されたトラバース速度と、前記位置センサによって検出された前記移動体の位置に基づいて、前記鍔部に近接する近接位置から前記光ファイバの巻き付け位置までの前記回転軸方向の距離がＶ・Δｔとなったときに、前記移動体が反転指令位置に達したことを認識し、それに伴って前記移動体に反転指令を発し、前記トラバース方向を反転させる光ファイバの巻取装置を提供する。
【発明の効果】
【００１０】
本発明によれば、トラバース速度に応じて反転指令位置を補正するため、巻き取りボビンへの巻き始めや巻き終わりなどのように、巻き取り速度が非定常である場合でも、確実に巻き取りボビンの鍔部に近接した位置でトラバース方向を反転することができる。
従って、巻き取り速度およびトラバース速度が変動した場合でも巻き乱れを防ぎ、光ファイバを巻き取りボビンに良好な巻き状態で巻き取ることができる。
【図面の簡単な説明】
【００１１】
【図１】本発明の光ファイバの巻取方法の実施形態を実施できる巻取装置を示す概略構成図である。
【図２】トラバースによって、光ファイバと巻き取りボビンとの相対位置が変化する過程を模式的に示す図である。
【図３】トラバースによって、光ファイバと巻き取りボビンとの相対位置が変化する過程を模式的に示す図である。
【図４】巻き取りボビンが反転指令位置に達してから反転するまでの時系列を示す図である。
【図５】トラバースによって、光ファイバと巻き取りボビンとの相対位置が変化する過程を模式的に示す図である。
【図６】トラバース方向の距離とトラバース速度との関係を示すグラフである。
【図７】従来の光ファイバの巻取装置の一例を示す概略構成図である。
【発明を実施するための形態】
【００１２】
（第１実施形態）
図１は、本発明の光ファイバの巻取方法の第１実施形態を実施できる巻取装置１を示す概略構成図である。
巻取装置１は、光ファイバ２を供給する光ファイバ供給部３と、光ファイバ２を巻き取る巻き取り機４と、巻き取りボビン８のトラバース速度を検出するトラバース速度センサ５と、巻き取りボビン８の回転軸方向の位置を検出可能なボビン位置センサ６と、巻き取りボビン８のトラバースの速度および方向を調整する制御部７と、を備えている。
【００１３】
光ファイバ供給部３は、送り出しボビン１１と、送り出しボビン１１から所定の速度で光ファイバを送り出すための引き取り機１２と、光ファイバ２をガイドする複数のガイドプーリー１３と、光ファイバ２の張力を調整するダンサーローラ１４と、を備えている。
ダンサーローラ１４は、巻き取り機４における光ファイバ２の速度と、引き取り機１２における光ファイバ２の速度とが相対的に変化した場合に、高さ位置の調整により光ファイバ２の張力を一定に保つことができる。
【００１４】
巻き取り機４は、光ファイバ２を巻き取る巻き取りボビン８（移動体）と、巻き取りボビン８を光ファイバ２に対して回転軸方向に往復トラバースさせるトラバース機構９と、を有する。
巻き取りボビン８は、光ファイバ２が巻き付けられる円筒状の巻き取り胴部１６と、その両端部に形成された鍔部１７（１７Ａ、１７Ｂ）とを有する。
巻き取り胴部１６は、円筒状に形成され、その外周面に光ファイバ２を巻き取ることができる。
【００１５】
鍔部１７は、巻き取り胴部１６の中心軸Ｃ１に対しほぼ垂直な円環状板であり、巻き取り胴部１６の両端部から拡径方向に延出して形成されている。鍔部１７は、巻き取られる光ファイバ２が巻き取り胴部１６から脱落するのを阻止する機能を有する。
巻き取りボビン８は、後述する巻取駆動機構（図示せず）により中心軸Ｃ１を回転軸として軸回りに回転駆動し、巻き取り胴部１６に、光ファイバ２を１層または多層に巻き取ることができる。
【００１６】
トラバース機構９は、巻き取りボビン８の巻き取り胴部１６に挿通して巻き取りボビン８を支持する支持胴部１８と、台部１９と、台部１９に立設して支持胴部１８の両端部を支持する支持柱部２０とを有する。
支持胴部１８は、円筒状とされ、中心軸を巻き取り胴部１６の中心軸Ｃ１にほぼ一致させ、巻取駆動機構（図示せず）により軸回りに回転駆動することによって、巻き取りボビン８を軸回りに回転駆動させることができる。
トラバース機構９は、往復動駆動機構（図示せず）によって、支持胴部１８の回転軸方向に往復動可能であり、巻き取りボビン８を中心軸Ｃ１方向に往復動させ、これによって、光ファイバ２を巻き取りボビン８に整列巻きさせることができる。
【００１７】
トラバース速度センサ５は、トラバース機構９のトラバース速度（巻き取り胴部１６）を検出し、速度検出信号を制御部７に送出することができる。
トラバース速度センサ５としては、巻き取りボビン８のトラバース速度が光ファイバ２の巻き取り速度に比例する場合には、引き取り機１２のローラを駆動するモーターに内蔵された検出器（エンコーダ等）を使用することができる。トラバース速度センサ５は光ファイバ２の線速に応じた速度検出信号を送出するが、この速度検出信号はトラバース速度に応じた信号となる。
トラバース速度センサ５としては、例えばトラバース機構９を往復動させる往復動駆動機構（図示せず）として使用されるモーターに内蔵された検出器等を使用してもよい。
【００１８】
ボビン位置センサ６は、巻き取りボビン８の回転軸方向（図１の左右方向）の位置を検出可能なセンサであって、巻き取りボビン８の回転軸方向の位置を検出し、位置検出信号を制御部７に送出することができる。
ボビン位置センサ６としては、例えばトラバース機構９を往復動させる往復動駆動機構（図示せず）として使用されるモーターに内蔵された検出器（エンコーダ等）が使用できる。
【００１９】
ボビン位置センサとしては、光学センサを使用してもよい。例えば、ガイドプーリー１３ａに対して位置決めされた発光部と受光部とを備えた光学センサを使用できる。この光学センサは、巻き取りボビン８が回転軸方向に移動する際に発光部からの光が鍔部１７で遮られて受光部に到達しなくなったことを、受光部から制御部７へ送信される信号の有無に基づいて検知することによって、巻き取りボビン８の位置（鍔部１７の位置）を検出できる。
【００２０】
制御部７は、トラバース速度センサ５からの速度検出信号とボビン位置センサ６からの位置検出信号に基づいて、トラバース機構９に駆動信号を送出し、トラバース機構９の速度および方向を調整できる。
【００２１】
次に、巻取装置１を用いた場合を例として、本発明の光ファイバの巻取方法の第１実施形態を説明する。
図１に示すように、引き取り機１２を駆動させて光ファイバ２を送り出しボビン１１から繰り出すとともに、トラバース機構９によって巻き取りボビン８を往復トラバースさせつつ、巻取駆動機構（図示せず）により巻き取りボビン８を軸回りに回転駆動することによって、光ファイバ２を巻き取りボビン８の巻き取り胴部１６に巻き取る。
巻き取りボビン８のトラバース速度と光ファイバ２の巻き取り速度とは独立していてもよいが、通常、巻き取りボビン８のトラバース速度は光ファイバ２の巻き取り速度に依存する。例えば、巻き取りボビン８のトラバース速度は光ファイバ２の巻き取り速度に比例させることができる。
【００２２】
以下、巻き取りボビン８のトラバース方向が反転する際の巻取装置１の動作を説明する。
図２は、巻き取りボビン８のトラバースによって、ガイドプーリー１３ａを経由して供給される光ファイバ２と、巻き取りボビン８との相対位置が変化する過程を模式的に示す図である。
この実施形態では、実際には巻き取りボビン８の移動によって鍔部１７が光ファイバ２に近づくが、この図では、巻き取りボビン８ではなく光ファイバ２の位置が変化するように前記相対位置の変化を図示している。
符号１３ａは巻き取りボビン８に最も近いガイドプーリー１３であり、ガイドプーリー１３ａを経た光ファイバ２は、直接、巻き取りボビン８に巻き取られる。
【００２３】
光ファイバ２の巻き取り位置と、巻き取り胴部１６の一端側の鍔部１７（１７Ａ）とが近づく過程では、巻き取りボビン８が所定の反転指令位置に達したことによって、ボビン位置センサ６が巻き取りボビン８の位置を検出し、位置検出信号を制御部７に送出する。
制御部７は、この位置検出信号に基づいて、反転指令をトラバース機構９に送信して巻き取りボビン８のトラバース方向を反転させる。
【００２４】
図４は、巻き取りボビン８が反転指令位置に達してから反転するまでの時系列を示す図である。
光ファイバ２の巻き取り速度が定常速度であって、そのときの巻き取りボビン８のトラバースの速度がＶ０（一定速度）である場合に、巻き取りボビン８が反転指令位置に達した時をｔ０、制御部７が反転指令をトラバース機構９に送出する時をｔ１、巻き取りボビン８が反転する時をｔ２とする。
反転指令位置がトラバース速度に依存せず、一定とされている場合には、実質的にｔ０＝ｔ１とすることができる。
【００２５】
巻き取りボビン８が反転指令位置に達した時ｔ０から、巻き取りボビン８が反転する時ｔ２までの経過時間をΔｔ（遅延時間）とする。この遅延時間Δｔは、光ファイバ２の巻き取り速度および巻き取りボビン８のトラバース速度にかかわらず一定である。
遅延時間Δｔは、巻き取りボビン８が反転指令位置に達してから反転するまで複数のステップがある場合には、それらすべてのステップを含む時間である。例えば、トラバース機構９が信号を受けてから動作するまでの遅延時間を含む。
通常、巻き取りボビン８のトラバース速度は、光ファイバ２の巻き取り速度に依存するため、遅延時間Δｔは厳密には巻き取り速度に依存しているが、トラバース速度は巻き取り速度に比べて小さいため、巻き取り速度に依存しないとみなすことができる。
【００２６】
図２に示すように、光ファイバ２の巻き取り速度が定常速度である場合（トラバース速度はＶ０）（図４参照）、巻き取りボビン８は、ｔ０で反転指令位置に達し（このときの巻き取りボビン８に対する光ファイバ２の相対位置を図２に仮想線で示す）、ｔ１でのトラバース機構９への反転指令送出を経て、ｔ２で反転する（このときの光ファイバ２の相対位置を図２に実線で示す）。
この例では、巻き取りボビン８は、光ファイバ２が鍔部１７に近接する位置Ｐ１（以下、近接位置Ｐ１という）で反転する。
なお、「光ファイバ２が鍔部１７に近接する」は、光ファイバ２が鍔部１７からわずかな距離だけ離れている場合、および鍔部１７内面に当接する場合を含む。近接位置にある光ファイバ２と鍔部１７との軸方向の距離は例えば１０ｍｍ以下とすることができる。
【００２７】
反転指令位置から反転位置までの巻き取りボビン８の回転軸方向の距離ΔＬ０は、トラバース速度Ｖ０と遅延時間Δｔ（図４参照）との積「Ｖ０・Δｔ」となる。
すなわち、光ファイバ２の巻き取り速度が定常速度である場合には、想定する反転位置（近接位置Ｐ１）から距離ΔＬ０だけ手前の位置を「反転指令位置」に設定することで、近接位置Ｐ１での反転が可能となる。
【００２８】
しかしながら、実際には、巻き取りボビン８への光ファイバ２の巻き始めや巻き終わりでは、定常速度での光ファイバ２の巻き取りが可能となるとは限らない。すなわち、巻き取り速度は、定常の速度より遅い場合も、定常の速度より速い場合もある。
巻き取り速度が非定常である場合には、例えば反転位置が鍔部１７から大きく離れた位置となることなどによって巻き乱れが生じるおそれがある。
【００２９】
図３に示すように、例えば、巻き取り速度が定常速度より遅い場合には（トラバース速度はＶ（＜Ｖ０））、定常速度の場合と同じ反転指令位置を設定すると、反転指令位置（図３に仮想線で示す）から、反転位置（図３に実線で示す）までの巻き取りボビン８の移動距離は、トラバース速度が遅いぶん短くなる。
具体的には、巻き取りボビン８は、定常速度の場合の反転位置（近接位置Ｐ１）に比べてΔＬ’（＝ΔＬ０−Ｖ・Δｔ）だけ手前の位置で反転し、この反転位置のずれは巻き乱れの原因となる。
トラバース速度Ｖは非定常の速度であって、変動し得る。なお、トラバース速度Ｖは、光ファイバ２と巻き取りボビン８との相対的な速度である。
【００３０】
本実施形態の巻取方法では、以下の手法を採用することによって、非定常の巻き取り速度においても、常に巻き取りボビン８の鍔部１７に近接した位置で反転することを可能とする。
巻き取りボビン８が反転指令位置に達した時ｔ０におけるトラバースの速度Ｖをトラバース速度センサ５（図１参照）で検出する。トラバース速度センサ５は、速度検出信号を制御部７に送出する。
一方、ボビン位置センサ６は、巻き取りボビン８の位置を検出し、位置検出信号を制御部７に送る。
【００３１】
図５に示すように、制御部７は、速度検出信号および位置検出信号に基づいて、光ファイバ２の巻き付け位置から近接位置Ｐ１までの回転軸方向の距離ΔＬ（Ｖ）が「Ｖ／Ｖ０・ΔＬ０」となったときに、巻き取りボビン８が反転指令位置に達したと認識して、反転指令をトラバース機構９に送信し、巻き取りボビン８のトラバース方向を反転させる。
ΔＬ０＝Ｖ０・Δｔであるから、「Ｖ／Ｖ０・ΔＬ０」は、「Ｖ・Δｔ」である。
この方法では、反転までの距離がトラバース速度に比例すること（図６参照）を利用して、トラバース速度に応じて反転指令位置を補正している。
【００３２】
巻き取りボビン８のトラバース速度が巻き取り速度に比例する場合には、巻き取り速度の定常速度ＶＦ０と、非定常の巻き取り速度をＶＦとの比「ＶＦ／ＶＦ０」は、「Ｖ／Ｖ０」に等しくなる。
なお、トラバース速度ＶがＶ０に等しければ、ΔＬ（Ｖ）はΔＬ０となる。
【００３３】
光ファイバ２が一方の鍔部１７Ａに近接する位置Ｐ１で反転した巻き取りボビン８は、逆の方向（光ファイバ２が他方の鍔部１７Ｂに近づく方向）にトラバースし、光ファイバ２が鍔部１７Ｂに近接する位置で反転する。
この反転の際にも、同様に、近接位置Ｐ１から巻き付け位置までの距離がＶ／Ｖ０・ΔＬ０（＝Ｖ・Δｔ）なったときに、巻き取りボビン８が反転指令位置に達したことを検出し、これに伴って制御部７が反転指令を発し、巻き取りボビン８のトラバース方向を反転させる。
この過程を繰り返すことによって、光ファイバ２を巻き取りボビン８に多層に巻き取ることができる。
【００３４】
上述の光ファイバの巻取方法によれば、トラバース距離がトラバース速度に比例すること（図６参照）を利用して、トラバース速度に応じて反転指令位置を補正するため、巻き取りボビンへの巻き始めや巻き終わりなどのように、巻き取り速度が非定常である場合でも、確実に鍔部１７に近接した位置Ｐ１でトラバース方向を反転することができる。
従って、光ファイバ２の巻き取り速度および巻き取りボビン８のトラバース速度が変動した場合でも、巻き乱れを防ぐことができる。
【００３５】
（第２実施形態）
第１実施形態では、巻き取りボビン８をトラバースさせつつ光ファイバ２の巻き取りを行ったが、これに代えて、ガイドプーリー１３ａ（移動体）をトラバースさせつつ巻き取りを行うこともできる。以下、図２〜図５を利用して説明する。
ガイドプーリー１３ａを巻き取りボビン８の回転軸方向に往復トラバースさせることによって、光ファイバ２の巻き取り位置を移動させつつ光ファイバ２の巻き取りを行う。
【００３６】
図２および図４に示すように、光ファイバ２の巻き取り速度が定常速度である場合（トラバース速度はＶ０）に、光ファイバ２と鍔部１７（１７Ａ）とが近づく過程では、ガイドプーリー１３ａ（または光ファイバ２）はｔ０で反転指令位置に達し（光ファイバ２の相対位置を図２に仮想線で示す）、ｔ１での反転指令送出を経て、ｔ２で反転する（このときの光ファイバ２の相対位置を図２に実線で示す）。
反転指令位置から反転位置までのガイドプーリー１３ａの移動距離ΔＬ０は、トラバース速度Ｖ０と遅延時間Δｔとの積「Ｖ０・Δｔ」となる。
【００３７】
本実施形態の巻取方法では、ガイドプーリー１３ａ（または光ファイバ２）が反転指令位置に達した時ｔ０におけるトラバースの速度Ｖをトラバース速度センサ（図示略）で検出する。トラバース速度センサは、速度検出信号を制御部７に送出する。
トラバース速度センサとしては、例えばガイドプーリー１３ａを往復動させる往復動駆動機構（トラバース機構）として使用されるモーターに内蔵された検出器（エンコーダ等）が使用できる。
【００３８】
一方、位置センサ（図示略）は、ガイドプーリー１３ａの位置を検出し、位置検出信号を制御部７に送る。
位置センサとしては、例えばガイドプーリー１３ａを往復動させる往復動駆動機構として使用されるモーターに内蔵された検出器が使用できる。
【００３９】
図５に示すように、制御部７は、速度検出信号および位置検出信号に基づいて、光ファイバ２の巻き付け位置から近接位置Ｐ１までの回転軸方向の距離ΔＬ（Ｖ）が「Ｖ／Ｖ０・ΔＬ０」（＝「Ｖ・Δｔ」）となったときに、ガイドプーリー１３ａ（または光ファイバ２）が反転指令位置に達したと認識して、反転指令をガイドプーリー１３ａに送信し、ガイドプーリー１３ａのトラバース方向を反転させる。
【００４０】
この光ファイバの巻取方法によれば、第１実施形態と同様に、巻き取り速度が非定常である場合でも、確実に鍔部１７に近接した位置Ｐ１でトラバース方向を反転することができる。
従って、巻き乱れを防ぐことができる。
【００４１】
第１実施形態では巻き取りボビン８をトラバースさせ、第２実施形態ではガイドプーリー１３ａをトラバースさせたが、巻き取りボビン８とガイドプーリー１３ａの両方をトラバースさせることもできる。すなわち、巻き取りボビン８とガイドプーリー１３ａの両方を、鍔部１７と光ファイバ２とが互いに近づく方向にトラバースさせ、その際に第１および第２実施形態と同様の方法でトラバース方向を反転させることができる。
【００４２】
第１および第２実施形態では、送り出しボビン１１から巻き取りボビン８（切割り用ボビン）への巻き取り（巻き返し）を行ったが、本発明の巻取方法は、光ファイバの製造方法に一工程として組み込むこともできる。
すなわち、公知の紡糸方法により得られた光ファイバを、第１実施形態または第２実施形態の方法によって巻き取りボビン８に巻き取ることもできる。
巻き取りボビンの形状は図示例に限定されず、他の形状のものであっても同様の効果を得ることができる。
【実施例】
【００４３】
以下、具体例を示して本発明の作用効果を明確にする。
（実施例１）
図１に示す巻取装置１を作製した。
本実施例では、巻き取りボビン８のトラバース速度は、光ファイバ２の巻き取り速度に比例する。
光ファイバ２の定常巻き取り速度ＶＦ０を１２００ｍ／ｍｉｎとし、巻き取りボビン８の反転位置を、近接位置Ｐ１とした（図２参照）。
反転指令位置（図２に仮想線で示す）から、反転位置（図２に実線で示す）までの巻き取りボビン８の移動距離ΔＬ０は１．７５ｍｍであった。
図５に示すように、近接位置Ｐ１から光ファイバ２までの距離ΔＬ（Ｖ）が１．７５×ＶＦ／１２００［ｍｍ］（＝「ＶＦ／ＶＦ０・ΔＬ０」）となったときに、巻き取りボビン８が反転指令位置に達したことを検出し、これに伴って制御部７が反転指令をトラバース機構９に送信して巻き取りボビン８のトラバース方向を反転させるように設定した。
光ファイバ２の巻き取り速度ＶＦを定常速度ＶＦ０より遅くし、巻き取り速度の増減速レートを３００ｍ／ｍｉｎ２として、送り出しボビン１１（紡糸ボビン）から巻き取りボビン８（切割り用ボビン）に、満巻き（多層巻き）となるまで巻き返しを実施した。
【００４４】
１回目のターン（反転）時の光ファイバ２の線速は、３００ｍ／ｍｉｎ、２回目のターン時の線速は６００ｍ／ｍｉｎ、３回目のターン時は９００ｍ／ｍｉｎ、４回目のターン時は１２００ｍ／ｍｉｎであった。
巻き取りボビン８に巻き付けられた光ファイバ２の外観を検査したところ、巻き乱れは見られず、良好な状態であった。
満巻きとなった光ファイバ２についてＯＴＤＲ測定を実施し、巻き乱れなどによる波形の乱れがないか確認したところ、問題はなかった。
巻き取りボビン８の光ファイバ２を再度巻き返しして繰り出し性を確認したところ、繰り出し性に問題はなかった。また、露出した下層側の光ファイバ２を確認したところ、鍔部１７に近接する位置Ｐ１まで巻かれていたことが確認できた。
【００４５】
（比較例１）
本比較例では、定常速度の場合と同じ反転指令位置を設定した。反転指令位置は巻き取り速度に依存させず、固定とした。
実施例１と同様にして、光ファイバ２の巻き取り速度ＶＦを定常速度ＶＦ０より遅くして、送り出しボビン１１（紡糸ボビン）から巻き取りボビン８（切割り用ボビン）に、満巻きとなるまで巻き返しを実施した。
巻き取りボビン８に巻き付けられた光ファイバ２の外観を検査したところ、巻き乱れが見られた。
満巻きとなった光ファイバ２についてＯＴＤＲ測定を実施し、巻き乱れなどによる波形の乱れがないか確認したところ、下層側の光ファイバ２でＯＴＤＲ波形の段差が見られた。
巻き取りボビン８の光ファイバ２を再度巻き返しして繰り出し性を確認したところ、繰り出しがスムーズにできない場合があった。
【００４６】
（比較例２）
巻き取り速度の増減速レートを１２００ｍ／ｍｉｎ２としたこと以外は比較例１と同様にして、送り出しボビン１１（紡糸ボビン）から巻き取りボビン８（切割り用ボビン）に、満巻きとなるまで巻き返しを実施した。
巻き取りボビン８に巻き付けられた光ファイバ２の外観を検査したところ、巻き乱れが見られた。
満巻きとなった光ファイバ２についてＯＴＤＲ測定を実施し、巻き乱れなどによる波形の乱れがないか確認したところ、下層側の光ファイバ２でＯＴＤＲ波形の段差が見られた。
巻き取りボビン８の光ファイバ２を再度巻き返しして繰り出し性を確認したところ、繰り出しがスムーズにできない場合があった。
【符号の説明】
【００４７】
１・・・巻取装置、２・・・光ファイバ、３・・・光ファイバ供給部、４・・・巻き取り機、５・・・トラバース速度センサ、６・・・ボビン位置センサ、７・・・制御部、８・・・巻き取りボビン、９・・・トラバース機構、１３ａ・・・ガイドプーリー、１６・・・巻き取り胴部、１７・・・鍔部、Ｐ１・・・近接位置（鍔部に近接する位置）。
【図１】
0005538478.tif 000002
【図２】
0005538478.tif 000003
【図３】
0005538478.tif 000004
【図４】
0005538478.tif 000005
【図５】
0005538478.tif 000006
【図６】
0005538478.tif 000007
【図７】
0005538478.tif 000008